(57)【特許請求の範囲】
【請求項１】
建物の軒先に設けられ、該建物の外壁に沿って配置された縦壁と、該縦壁と奥行方向で対向する側壁とを有し、雨水を集水する第１集水部と、
前記第１集水部よりも下側に前記第１集水部と一体に設けられ、前記側壁の外側面を伝って流れた雨水を集水する第２集水部と、
前記第１集水部の底部に設けられ、前記第１集水部よりも下側に延び前記第１集水部の雨水を前記第２集水部側に流下させる第１筒部と、
前記第２集水部の底部に設けられ、前記第２集水部よりも下側に延び、前記第１筒部が隙間をあけて挿入され、前記第２集水部の雨水を縦樋に流下させる第２筒部と、
を有する軒樋。
【請求項２】
前記側壁の下端には、前記外側面を流れた雨水を前記外壁側に案内する案内面が形成されている請求項１に記載の軒樋。
【請求項３】
前記第２集水部の上端の前記奥行方向の幅は、前記第１集水部の下端の前記奥行方向の幅よりも短い請求項１又は請求項２に記載の軒樋。
【発明の詳細な説明】
【技術分野】
【０００１】
本発明は、軒樋に関する。
【背景技術】
【０００２】
特許文献１の雨樋は、樋本体の前壁の中程が外側に張り出すように形成されている。また、前壁の下前壁が斜め上方に延出されて突出壁が形成されている。この突出壁が形成された部分が、雨水を導く副雨水通路となっている。
【先行技術文献】
【特許文献】
【０００３】
【特許文献１】特開平１０−２２７１０４号公報
【発明の概要】
【発明が解決しようとする課題】
【０００４】
特許文献１の構成では、下前壁の外側面に付着した雨水を捕集することができない。換言すると、軒樋の側壁の外側面を伝って軒下へ落下する雨垂れの発生を抑制するには、改善の余地がある。
【０００５】
本発明は、軒樋の側壁の外側面を伝って軒下へ落下する雨垂れの発生を抑制することができる軒樋を得ることが目的である。
【課題を解決するための手段】
【０００６】
第１の態様に係る軒樋は、建物の軒先に設けられ、該建物の外壁に沿って配置された縦壁と、該縦壁と奥行方向で対向する側壁とを有し、雨水を集水する第１集水部と、前記第１集水部よりも下側に前記第１集水部と一体に設けられ、前記側壁の外側面を伝って流れた雨水を集水する第２集水部と、を有する。
【０００７】
第１の態様に係る軒樋では、雨水が第１集水部で集水される。ここで、第１集水部の側壁に外側から吹き込んできた雨水は、第１集水部の側壁の外側面を伝って流れる。そして、外側面を伝って流れてきた雨水は、第１集水部よりも下側に設けられた第２集水部で集水される。これにより、第２集水部が無い構成に比べて、第１集水部の側壁の外側面から軒下へ落下する雨水の量が低減されるので、軒樋の側壁の外側面を伝って軒下へ落下する雨垂れの発生を抑制することができる。
【０００８】
第２の態様に係る軒樋の前記第１集水部の底部には、前記第１集水部よりも下側に延び前記第１集水部の雨水を前記第２集水部側に流下させる第１筒部が設けられ、前記第２集水部の底部には、前記第２集水部よりも下側に延び、前記第１筒部が隙間をあけて挿入され、前記第２集水部の雨水を縦樋に流下させる第２筒部が設けられている。
【０００９】
第２の態様に係る軒樋では、第１集水部の雨水が第１筒部内を流れて縦樋内へ流下すると共に、第２集水部の雨水が第２筒部内を流れて縦樋内へ流下する。ここで、第１筒部が第２筒部内に挿入されているので、第１筒部内を流れた雨水が第２集水部に流入することが抑制される。また、第１筒部と第２筒部とが隙間をあけて配置されているので、第１筒部内を流れた雨水が縦樋へ流入するときに生じる負圧によって、第２集水部の雨水が第１筒部と第２筒部との隙間へ吸引される。これにより、本構成を有していないものと比べて、第２集水部に残留する雨水の量を低減させることができる。
【００１０】
第３の態様に係る軒樋の前記側壁の下端には、前記外側面を流れた雨水を前記外壁側に案内する案内面が形成されている。
【００１１】
第３の態様に係る軒樋では、第１集水部の側壁の外側面を流れて案内面に到達した雨水は、案内面に案内されて建物の外壁側に向けて流れる。これにより、側壁の下端に角部が形成された構成に比べて、側壁の下端に雨水が滞留することが抑制されるので、側壁の下端から軒下への雨水の落下（雨垂れ）の発生を抑制することができる。
【００１２】
第４の態様に係る軒樋の前記第２集水部の上端の前記奥行方向の幅は、前記第１集水部の下端の前記奥行方向の幅よりも短い。
【００１３】
第４の態様に係る軒樋では、第２集水部の上端の奥行方向の幅が第１集水部の下端の奥行方向の幅よりも短いので、第１集水部の側壁の湾曲方向又は傾斜方向に沿って第２集水部の側壁を配置することが可能となる。これにより、軒樋を奥行方向に見たとき、第１集水部及び第２集水部が１つの部材として認識され易くなるので、軒樋の見栄えをよくすることができる。
【発明の効果】
【００１４】
第１の態様に係る軒樋では、軒樋の側壁の外側面を伝って軒下へ落下する雨垂れの発生を抑制することができるという優れた効果を有する。
【００１５】
第２の態様に係る軒樋では、第２集水部に残留する雨水の量を低減させることができるという優れた効果を有する。
【００１６】
第３の態様に係る軒樋では、側壁の下端から軒下へ落下する雨垂れの発生を抑制することができるという優れた効果を有する。
【００１７】
第４の態様に係る軒樋では、軒樋の見栄えをよくすることができるという優れた効果を有する。
【図面の簡単な説明】
【００１８】
【図１】本実施形態に係る軒樋を有する建物を示す斜視図である。
【図２】本実施形態に係る軒樋を有する建物の一部を示す縦断面図である。
【図３】本実施形態に係る軒樋の一部の斜視図である。
【図４】本実施形態に係る第１筒部材、第２筒部材及び縦樋の配置を示す説明図である。
【図５】本実施形態に係る第１集水部の下部の一部を拡大した縦断面図である。
【図６】（Ａ）本実施形態に係る第１筒部材、第２筒部材及び縦樋をＸ方向に見たときの各部材の配置を示す縦断面図である。（Ｂ）本実施形態に係る第１筒部材、第２筒部材及び縦樋の内部を雨水が流れる状態を示す説明図である。
【図７】本実施形態に係る軒樋における雨水の流れを示す説明図である。
【図８】変形例に係る軒樋を示す縦断面図である。
【発明を実施するための形態】
【００１９】
本実施形態に係る軒樋の一例について説明する。
【００２０】
〔全体構成〕
図１に示すように、建物１０は、一例として、基礎１２上に据え付けられた一階部分１４と、一階部分１４上に据え付けられた二階部分１６と、二階部分１６の上部の外側に設けられた後述する軒樋６０と、縦樋１８とを有している。一階部分１４及び二階部分１６は、一例として、それぞれ図示しない複数個の建物ユニットにより構成されている。また、建物１０は、一例として、後述する陸屋根３２を有している。
【００２１】
なお、以後の説明では、建物１０の一つの外壁面１９における軒樋６０の幅方向をＸ方向（図中の矢印Ｘ）、軒樋６０の長手方向をＹ方向（図中の矢印Ｙ）、建物１０の高さ方向をＺ方向（図中の矢印Ｚ）と称する。Ｘ方向及びＹ方向は、水平方向の一例である。また、Ｘ方向は、該Ｘ方向に見て軒樋６０と後述する外壁材２４（図２参照）とが重なる方向であり、奥行方向の一例である。
【００２２】
図２に示すように、建物１０は、壁フレーム２２を有している。壁フレーム２２は、Ｙ方向に所定の間隔をあけて複数配置されると共に、それぞれＺ方向に沿って延設されている。壁フレーム２２のＸ方向の外側には、Ｙ−Ｚ面に沿って配置された板状の外壁の一例としての外壁材２４が、スクリューからなる図示しない締結部材により締結されている。壁フレーム２２のＺ方向上端には、横桟２６がＹ方向に沿って掛け渡されている。
【００２３】
横桟２６は、Ｘ−Ｚ断面がＵ字形状となっており、壁フレーム２２上に配置されている。そして、外壁材２４の上部は、スクリューからなる締結部材２７によって、横桟２６に固定されている。また、壁フレーム２２のＸ方向の屋内側には、図示しない天井梁が設けられている。天井梁には、図示しない屋根フレームが取り付けられており、該屋根フレームの上方には、建物１０の屋根部を構成する陸屋根３２が設けられている。
【００２４】
陸屋根３２は、Ｚ方向に沿って下側から順に配置された野地板３４、断熱材３６及び鋼板役物３８を含んで構成されている。鋼板役物３８は、一例として、ＤＮ鋼板により形成されており、断熱材３６上にＸ−Ｙ面に沿って設置されている。また、鋼板役物３８の外側の端部には、Ｙ−Ｚ面に沿って側壁部３９が一体に設けられている。側壁部３９は、外壁材２４のＸ方向外側に外壁材２４と平行に配置されている。
【００２５】
建物１０の軒先２０には、軒先構造４０が設けられている。軒先構造４０は、一例として、水切材５０と、軒樋６０と、吊具５２とを有している。水切材５０は、鋼板役物３８の側壁部３９と共に外壁材２４に取り付けられた縦壁部５０Ａと、縦壁部５０ＡのＺ方向上端から外側に向けて先端が下がるように傾斜した傾斜部５０Ｂとを有している。吊具５２は、縦壁部５０Ａ及び側壁部３９と共に外壁材２４に取り付けられた縦壁部５２Ａと、縦壁部５２ＡからＸ方向の外側へ延出されたアーム部５２Ｂと、アーム部５２ＢのＸ方向外側及び内側に形成された引掛部５２Ｃ、５２Ｄとを有している。
【００２６】
〔要部構成〕
次に、軒樋６０について説明する。
【００２７】
図２に示すように、軒樋６０は、雨水を集水する第１集水部６２と、第１集水部６２よりもＺ方向下側に第１集水部６２と一体成形され、雨水を集水する第２集水部６４とを有している。第１集水部６２の後述する底壁６２Ｂには、第１集水部６２の雨水を第２集水部６４側に流下させる第１筒部の一例としての第１筒部材６６が設けられている。第２集水部６４の後述する底壁６４Ａには、第２集水部６４の雨水を縦樋１８に流下させる第２筒部の一例としての第２筒部材６８が設けられている。
【００２８】
＜第１集水部＞
第１集水部６２は、一例として、外壁材２４に沿って配置された縦壁６２Ａと、縦壁６２ＡのＺ方向中央部よりも下側から外側へ延びる底壁６２Ｂと、底壁６２ＢのＸ方向外端部から斜め方向に延びる側壁の一例としての湾曲壁６２Ｃとを有している。底壁６２Ｂは、第１集水部６２の底部の一例である。
【００２９】
縦壁６２Ａは、Ｘ方向を板厚方向とする板状に形成されており、外壁材２４と間隔をあけて配置されている。また、縦壁６２ＡのＺ方向上端でかつ第１集水部６２の内側には、Ｚ方向下側へ向けて開口した溝部６２Ｄが形成されている。溝部６２Ｄは、吊具５２の引掛部５２Ｄと係合可能になっている。さらに、縦壁６２Ａは、第１集水部６２よりもＺ方向下側へ延びており、第２集水部６４の一部も構成している。
【００３０】
底壁６２ＢのＸ方向の幅（第１集水部６２の下端のＸ方向の長さ）をＬ１とする。即ち、幅Ｌ１は、縦壁６２Ａから湾曲壁６２Ｃの下端までの幅である。また、底壁６２ＢのＸ方向中央部よりも縦壁６２Ａ側には、Ｚ方向に貫通した貫通孔６２Ｆが形成されている。貫通孔６２Ｆは、一例として、Ｚ方向に見て円形となっている。さらに、図５に示すように、底壁６２Ｂは、一例として、縦壁６２Ａ（図２参照）側が湾曲壁６２Ｃ側よりもＺ方向で低くなるように、Ｘ方向に沿った水平面Ｍに対して角度θで傾斜している。なお、底壁６２ＢのＺ方向下側の面を下面６２Ｇと称する。
【００３１】
図２に示すように、湾曲壁６２Ｃは、縦壁６２Ａから離れる側（外側）へ、底壁６２Ｂの外端部から斜め上方へ延びており、斜め下方に向けて凸状に湾曲している。また、湾曲壁６２Ｃは、Ｘ方向で縦壁６２Ａと対向している。さらに、湾曲壁６２ＣのＺ方向上端の位置は、縦壁６２ＡのＺ方向上端の位置よりも高い位置となっている。加えて、湾曲壁６２ＣのＺ方向上端部には、Ｚ方向下側へ向けて開口した溝部６２Ｅが形成されている。溝部６２Ｅは、吊具５２の引掛部５２Ｃと係合可能になっている。
【００３２】
図５に示すように、湾曲壁６２Ｃの側面のうち、Ｘ方向外側の側面を外側面６２Ｈと称する。また、外側面６２Ｈの曲率半径をＲ１とする。ここで、下面６２ＧのＸ方向外端でかつ外側面６２ＨのＺ方向下端となる部位には、案内面６３が形成されている。案内面６３は、底壁６２Ｂと湾曲壁６２Ｃとが繋がる部分の外側の面であり、下面６２Ｇ及び外側面６２Ｈと連続した面である。また、案内面６３は、一例として、斜め下方に向けて凸状に湾曲された湾曲面である。案内面６３の曲率半径をＲ２とすると、本実施形態では、Ｒ１＞Ｒ２となっている。これにより、案内面６３は、外側面６２Ｈを流れた雨水を底壁６２Ｂ（下面６２Ｇ）における建物１０の外壁材２４側（図２参照）に案内するようになっている。
【００３３】
＜第２集水部＞
図３に示すように、第２集水部６４は、第１集水部６２よりも下側に配置されている。また、第２集水部６４は、第１集水部６２と同様にＹ方向を長手方向として延びている。なお、第２集水部６４のＹ方向の長さは、一例として、第１集水部６２のＹ方向の長さと同じ長さになっている。さらに、第２集水部６４のＹ方向両端の位置と、第１集水部６２のＹ方向両端の位置とは、揃えられている。即ち、第１集水部６２の外側面６２Ｈ及び案内面６３を流れた雨水が、下面６２Ｇに到達して、第２集水部６４に集水されるようになっている。
【００３４】
図２に示すように、第２集水部６４は、一例として、縦壁６２ＡのＺ方向下部と、縦壁６２Ａの下端からＸ方向外側へ延びる底壁６４Ａと、底壁６４ＡのＸ方向外端部から斜め方向に延びる湾曲壁６４Ｂとを有している。底壁６４Ａは、Ｘ−Ｙ面に沿っている。また、底壁６４ＡのＸ方向の幅は、底壁６２ＢのＸ方向の幅Ｌ１よりも短くなっている。底壁６４Ａは、第２集水部６４の底部の一例である。
【００３５】
湾曲壁６４Ｂは、縦壁６２Ａから離れる側へ向けて、底壁６４Ａの外端部から斜め上方へ延びており、斜め下方に向けて凸状に湾曲している。また、湾曲壁６４Ｂは、Ｘ方向で縦壁６２Ａの下部と対向している。さらに、湾曲壁６４ＢのＺ方向上端と底壁６２Ｂとの間には、間隔ｄ１が形成されている。なお、湾曲壁６４ＢのＺ方向上端には、溝部は形成されていない。
【００３６】
加えて、縦壁６２Ａの下部から湾曲壁６４Ｂの上端までのＸ方向の幅（第２集水部６４の上端のＸ方向の長さ）をＬ２とすると、Ｌ１＞Ｌ２となっている。また、第２集水部６４のＺ方向の深さは、第１集水部６２のＺ方向の深さよりも浅くなっている。即ち、第２集水部６４の容積は、第１集水部６２の容積よりも小さくなっている。
【００３７】
また、第２集水部６４には、底壁６４Ａの一部と湾曲壁６４Ｂの一部とに跨って、Ｚ方向に貫通した貫通孔６４Ｃが形成されている。貫通孔６４Ｃは、一例として、Ｚ方向に見て円形となっている。また、貫通孔６４Ｃの直径は、貫通孔６２Ｆの直径よりも大きくなっている。さらに、貫通孔６４Ｃの直径は、一例として、縦樋１８の内径とほぼ同じ大きさとされている。加えて、貫通孔６４ＣのＺ方向に沿った中心軸と、貫通孔６２ＦのＺ方向に沿った中心軸とは、Ｘ−Ｙ面内でほぼ同じ位置に揃えられている。ここで、軒樋６０が建物１０の軒先２０に設けられた状態において、貫通孔６２Ｆ及び貫通孔６４Ｃは、縦樋１８のＺ方向上側に配置されるように並んでいる。
【００３８】
＜第１筒部材＞
図４に示すように、第１筒部材６６は、一例として、Ｚ方向を軸方向とする円筒状の筒部６６Ａと、筒部６６ＡのＺ方向上端から径方向に張り出された環状のフランジ部６６Ｂとを有している。
【００３９】
図６（Ａ）に示すように、筒部６６Ａの外径は、貫通孔６２Ｆの孔径とほぼ同じ大きさとされており、貫通孔６２Ｆに筒部６６Ａが挿入されている。また、筒部６６ＡのＺ方向の長さは、第１筒部材６６を第１集水部６２に設けた（取り付けた）状態で、筒部６６ＡのＺ方向下端が縦樋１８の内側に配置される長さとなっている。即ち、筒部６６Ａは、第１集水部６２よりもＺ方向下側に延びている。
【００４０】
第１集水部６２では、貫通孔６２ＦにＺ方向上側から筒部６６Ａを挿入することで、フランジ部６６Ｂが底壁６２Ｂの上面と接触し、第１筒部材６６が第１集水部６２に設けられている。なお、第１筒部材６６の固定方法としては、フランジ部６６Ｂと底壁６２Ｂとを接着剤で接着する方法や、筒部６６Ａを貫通孔６２Ｆに圧入する方法がある。
【００４１】
＜第２筒部材＞
図４に示すように、第２筒部材６８は、一例として、Ｚ方向を軸方向とする円筒状の筒部６８Ａと、筒部６８ＡのＺ方向上部から径方向に張り出された環状のフランジ部６８Ｂと、フランジ部６８Ｂの筒部６８Ａ側とは反対側に突出した取付部６８Ｃとを有している。換言すると、取付部６８Ｃは、筒部６８ＡのＺ方向上端部を構成している。また、第２筒部材６８では、筒部６８ＡのＺ方向上端から取付部６８ＣのＺ方向の高さに相当する長さだけＺ方向に下がった位置にフランジ部６８Ｂが形成されている。
【００４２】
図６（Ａ）に示すように、筒部６８Ａの外径は、縦樋１８の内径とほぼ同じ大きさとされており、縦樋１８に筒部６８Ａが挿入されている。また、筒部６８Ａの内径は、筒部６６Ａの外径よりも大きくなっており、筒部６８Ａの内壁面と筒部６６Ａの外壁面との間には、径方向で隙間ｄ２が形成されている。さらに、筒部６８ＡのＺ方向の長さは、一例として、第２筒部材６８を第２集水部６４に設けた（取り付けた）状態で、筒部６８ＡのＺ方向下端が、縦樋１８の内側に配置されかつ筒部６６ＡのＺ方向下端よりもＺ方向上側に位置する長さとなっている。即ち、筒部６８Ａは、第２集水部６４よりもＺ方向下側に延びている。そして、第２筒部材６８には、第１筒部材６６が隙間ｄ２をあけて挿入されている。
【００４３】
取付部６８Ｃは、一例として、筒部６８Ａと同軸に配置されて円筒状に形成されており、取付部６８Ｃの外径、内径は、筒部６８Ａの外径、内径と同じ大きさとなっている。また、取付部６８Ｃの外径は、貫通孔６４Ｃの内径とほぼ同じ大きさとされており、貫通孔６４Ｃの孔壁と取付部６８Ｃの外周面とが接触している。さらに、取付部６８ＣのＺ方向の長さは、底壁６４ＡのＺ方向の長さとほぼ同じ長さとなっている。
【００４４】
第２集水部６４では、貫通孔６４ＣにＺ方向下側から取付部６８Ｃを挿入することで、フランジ部６８Ｂが底壁６４Ａの下面と接触し、第２筒部材６８が第２集水部６４に設けられている。なお、第２筒部材６８の固定方法としては、フランジ部６８Ｂと底壁６４Ａとを接着剤で接着する方法や、取付部６８Ｃを貫通孔６４Ｃに圧入する方法がある。
【００４５】
＜軒樋の設置方法＞
次に、軒樋６０の設置方法の一例について説明する。
【００４６】
図３に示すように、軒樋６０の底壁６２Ｂに貫通孔６２Ｆを形成し、底壁６４Ａに貫通孔６４Ｃを形成する。なお、貫通孔６２Ｆ、６４Ｃの形成は、建物１０（図１参照）の建築現場及び軒樋６０の成形工場のどちらで行ってもよい。
【００４７】
図６（Ａ）に示すように、貫通孔６２ＦにＺ方向上側から筒部６６Ａが挿入され、フランジ部６６Ｂが底壁６２Ｂに固定される。また、貫通孔６４ＣにＺ方向下側から取付部６８Ｃが挿入され、フランジ部６８Ｂが底壁６４Ａに固定される。これにより、軒樋６０に第１筒部材６６及び第２筒部材６８が固定される。
【００４８】
図２に示すように、建物１０に水切材５０及び吊具５２が取り付けられた後で、軒樋６０の溝部６２Ｅ、６２Ｄが吊具５２の引掛部５２Ｃ、５２Ｄに引っ掛けられる。そして、第２筒部材６８の筒部６８Ａが縦樋１８の上端部に挿入された後で、縦樋１８が外壁材２４に固定される。これにより、吊具５２が軒樋６０を支持し、軒先構造４０が出来上がる。ここで、軒樋６０では、第１筒部材６６が第１集水部６２の雨水を第２集水部６４側（縦樋１８）に流下させるようになっている。また、第２筒部材６８が第２集水部６４の雨水を縦樋１８に流下させるようになっている。
【００４９】
〔作用〕
次に、本実施形態の作用について説明する。
【００５０】
図７には、軒先構造４０における雨水の流れの一部が模式的に示されている。なお、図７では、水切材５０の一部及び吊具５２（図２参照）の図示を省略している。
【００５１】
軒先構造４０では、降雨時に水切材５０の傾斜部５０Ｂの上面を雨水Ａ（矢印Ａで示す）が流れる。この雨水Ａは、傾斜部５０Ｂの先端から軒樋６０の第１集水部６２内に落下して集水される。また、第１集水部６２の湾曲壁６２Ｃの内側に降った雨水Ｂ（矢印Ｂで示す）は、湾曲壁６２Ｃの内側面６２Ｉを伝って第１集水部６２に集水される。
【００５２】
第１集水部６２の湾曲壁６２Ｃに外側から吹き込んできた雨水Ｃ（矢印Ｃで示す）は、重力の分力の作用により、湾曲壁６２Ｃの外側面６２Ｈを伝って流れる。そして、外側面６２Ｈを伝って流れてきた雨水Ｃは、案内面６３により底壁６２Ｂの下面６２Ｇへ案内される。下面６２Ｇでは、雨水Ｃが集まることで雨垂れとなり、第２集水部６４内に落下する。そして、雨水Ｃは、第１集水部６２よりも下側に設けられた第２集水部６４で集水される。
【００５３】
このように、軒樋６０では、外側面６２Ｈに付着した雨水Ｃが第２集水部６４で集水されるので、第２集水部６４が無い構成に比べて、外側面６２Ｈから図示しない軒下へ落下する雨水Ｃの量が低減される。つまり、軒樋６０では、第２集水部６４が無い構成に比べて、外側面６２Ｈを伝って軒下１３（図１参照）へ落下する雨垂れの発生を抑制することができる。
【００５４】
また、図６（Ｂ）に示すように、軒樋６０では、第１集水部６２の雨水Ａ、Ｂが第１筒部材６６内を流れて縦樋１８内へ流下すると共に、第２集水部６４の雨水Ｃが第２筒部材６８内を流れて縦樋１８内へ流下する。ここで、第１筒部材６６の筒部６６Ａが第２筒部材６８の筒部６８Ａに挿入されている。即ち、第１筒部材６６内を流下した雨水Ａ、Ｂは、第２集水部６４の底壁６４Ａよりも下側で筒部６６Ａから排出されるので、第１筒部材６６内を流れた雨水Ａ、Ｂが第２集水部６４内に流入することが抑制される。
【００５５】
さらに、軒樋６０では、第１筒部材６６の筒部６６Ａと第２筒部材６８の筒部６８Ａとが隙間ｄ２（図６（Ａ）参照）をあけて配置されている。ここで、筒部６６Ａ内を流れた雨水Ａ、Ｂが縦樋１８内に流下することで、縦樋１８内の空気が下側へ押し出される。これにより、筒部６６Ａと筒部６８Ａとの隙間の空間には負圧が生じる。この負圧により、第２集水部６４の雨水Ｃ（大気圧状態）が筒部６６Ａと筒部６８Ａとの間へ吸引される。このように、軒樋６０では、筒部６６Ａと筒部６８Ａとの隙間に生じる負圧を利用して雨水Ｃを吸引するので、本構成を有していないものと比べて、第２集水部６４に残留する雨水Ｃの量を低減させることができる。
【００５６】
加えて、図７に示す軒樋６０では、既述のように、第１集水部６２の外側面６２Ｈを流れて案内面６３に到達した雨水Ｃが、湾曲面で構成された案内面６３に案内されて外壁材２４（図２参照）側に向けて流れる。これにより、湾曲壁６２Ｃの下端に角部が形成された構成に比べて、湾曲壁６２Ｃの下端に雨水Ｃが滞留することが抑制されるので、湾曲壁６２Ｃの下端から軒下１３（図１参照）への雨水Ｃの落下（雨垂れ）の発生を抑制することができる。さらに、底壁６２Ｂが水平面Ｍ（図５参照）に対して角度θ（図５参照）で傾いているので、案内面６３に到達した雨水Ｃが下面６２Ｇの外壁材２４側（縦壁６２Ａ側）へ流れ易くなり、案内面６３での雨水Ｃの滞留を抑制できる。
【００５７】
また、図２に示すように、軒樋６０では、第２集水部６４のＺ方向上端のＸ方向の幅Ｌ２が、第１集水部６２のＺ方向下端のＸ方向の幅Ｌ１よりも短い。このため、第１集水部６２の湾曲壁６２Ｃの湾曲方向を示す図示しない線上に（該湾曲方向に沿って）第２集水部６４の湾曲壁６４Ｂを配置することが可能となっている。これにより、軒樋６０をＸ方向の屋内側に向けて見たとき、第２集水部６４が第１集水部６２よりも手前側に突出せず、第１集水部６２及び第２集水部６４が、連続する１つの部材として認識され易くなるので、軒樋６０の見栄えをよくすることができる。
【００５８】
なお、本発明は上記の実施形態に限定されない。
【００５９】
＜変形例＞
図８には、本実施形態の変形例としての軒樋８０が示されている。軒樋８０は、建物１０（図２参照）において、軒樋６０（図２参照）に換えて設けられている。なお、既述の実施形態と同様の構成である部材及び部位については、同じ符号を用いて説明を省略する。同様の構成とは、大きさや形状が一部異なっていても、同様の作用が得られる構成を意味している。また、図８では、水切材５０、吊具５２及び建物１０（図２参照）の図示を省略している。
【００６０】
軒樋８０は、第１集水部８２と第２集水部８４とを有し、これらが一体成形されている。また、軒樋８０の第２集水部８４は、上集水部８６、中集水部８８及び下集水部９２の３段構成とされている。即ち、軒樋８０は、一例として、合計４段の集水部で構成されている。
【００６１】
第１集水部８２は、Ｙ−Ｚ面に沿った縦壁８２Ａと、縦壁８２ＡのＺ方向上部からＸ方向に沿って外側へ延びる底壁８２Ｂと、底壁８２ＢのＸ方向外端部から斜め方向に延びる湾曲壁６２Ｃとを有している。縦壁８２Ａは、Ｘ方向を板厚方向とする板状に形成されており、建物１０（図２参照）側に配置されている。また、縦壁８２ＡのＺ方向上端には、溝部６２Ｄが形成されている。縦壁８２Ａと湾曲壁６２Ｃとは、Ｘ方向で対向している。
【００６２】
さらに、縦壁８２Ａは、第１集水部８２よりもＺ方向下側へ下集水部９２まで延びており、第２集水部８４の一部も構成している。底壁８２ＢのＸ方向中央部よりも縦壁８２Ａ側には、Ｚ方向に貫通した貫通孔８２Ｃが形成されている。底壁８２Ｂと湾曲壁６２Ｃとが繋がる部分の外側には、案内面６３が形成されている。
【００６３】
上集水部８６は、縦壁８２Ａと、縦壁８２ＡのＺ方向中央部からＸ方向に沿って外側へ延びる底壁８６Ａと、底壁８６ＡのＸ方向外端部から斜め方向に延びる湾曲壁８６Ｂとで構成されている。底壁８６ＡのＸ方向中央部よりも縦壁８２Ａ側には、Ｚ方向に貫通した貫通孔８６Ｃが形成されている。底壁８６Ａと湾曲壁８６Ｂとが繋がる部分の外側には、案内面６３が形成されている。縦壁８２Ａと湾曲壁８６Ｂとは、Ｘ方向で対向している。湾曲壁８６ＢのＺ方向上端は、底壁８２Ｂと間隔をあけて配置されている。また、湾曲壁８６ＢのＺ方向上端から縦壁８２ＡまでのＸ方向の長さは、底壁８２ＢのＸ方向の長さよりも短くなっている。
【００６４】
中集水部８８は、縦壁８２Ａと、縦壁８２ＡのＺ方向中央部よりも下側からＸ方向に沿って外側へ延びる底壁８８Ａと、底壁８８ＡのＸ方向外端部から斜め方向に延びる湾曲壁８８Ｂとで構成されている。底壁８８ＡのＸ方向中央部よりも縦壁８２Ａ側には、Ｚ方向に貫通した貫通孔８８Ｃが形成されている。底壁８８Ａと湾曲壁８８Ｂとが繋がる部分の外側には、案内面６３が形成されている。縦壁８２Ａと湾曲壁８８Ｂとは、Ｘ方向で対向している。湾曲壁８８ＢのＺ方向上端は、底壁８６Ａと間隔をあけて配置されている。また、湾曲壁８８ＢのＺ方向上端から縦壁８２ＡまでのＸ方向の長さは、底壁８６ＡのＸ方向の長さよりも短くなっている。
【００６５】
下集水部９２は、縦壁８２Ａと、縦壁８２ＡのＺ方向下端からＸ方向に沿って外側へ延びる底壁６４Ａと、湾曲壁６４Ｂとで構成されている。縦壁８２Ａと湾曲壁６４Ｂとは、Ｘ方向で対向している。湾曲壁６４ＢのＺ方向上端は、底壁８８Ａと間隔をあけて配置されている。また、湾曲壁６４ＢのＺ方向上端から縦壁８２ＡまでのＸ方向の長さは、底壁８８ＡのＸ方向の長さよりも短くなっている。底壁６４Ａの貫通孔６４Ｃには、第２筒部材６８が取り付けられている。そして、第２筒部材６８は、縦樋１８に取り付けられている。なお、貫通孔８２Ｃ、８６Ｃ、８８Ｃ、６４Ｃは、Ｚ方向に見て重なる位置に形成されている。
【００６６】
ここで、軒樋８０では、降雨時に第１集水部８２で集水された雨水が、貫通孔８２Ｃを通って上集水部８６へ流れる。また、湾曲壁６２Ｃに吹き込んできた雨水が、外側面６２Ｈ及び案内面６３を伝って流れ、上集水部８６で集水される。上集水部８６で集水された雨水は、貫通孔８６Ｃを通って中集水部８８へ流れる。また、湾曲壁８６Ｂに吹き込んできた雨水は、湾曲壁８６Ｂの外側面８６Ｄ及び案内面６３を伝って流れ、中集水部８８で集水される。
【００６７】
中集水部８８で集水された雨水は、貫通孔８８Ｃを通って下集水部９２へ流れる。また、湾曲壁８８Ｂに吹き込んできた雨水は、湾曲壁８８Ｂの外側面８８Ｄ及び案内面６３を伝って流れ、下集水部９２で集水される。そして、第１集水部８２、上集水部８６及び中集水部８８を流れた雨水と、下集水部９２で集水された雨水とは、第２筒部材６８内を通って縦樋１８内へ流れる。
【００６８】
このように、軒樋８０では、第２集水部８４が複数段（３段）で構成されているので、第２集水部８４を下集水部９２のみで構成した場合に比べて、第２集水部８４の容積が大きくなっている。即ち、第２集水部８４が第１集水部８２からの雨垂れを抑制することができると共に、第２集水部８４における雨水の集水（捕集）能力を向上させることができる。また、軒樋８０では、第１集水部８２から下集水部９２まで、下側の方が上側よりもＸ方向の長さ（見付）が短くなっているので、軒樋８０をＸ方向に見たときに第１集水部８２及び第２集水部８４が１つの部材として認識され易くなる。これにより、軒樋８０の見栄えをよくすることができる。
【００６９】
＜他の変形例＞
建物１０は、陸屋根３２を有するものに限らず、傾斜屋根を有するものであってもよい。また、建物１０は、複数個の建物ユニットにより構成されるユニット建物に限らず、例えば、鉄骨軸組工法の建物であってもよい。
【００７０】
軒樋６０は、第１筒部材６６及び第２筒部材６８が無く、貫通孔６２Ｆ、６４Ｃを通って縦樋１８に雨水を流すものであってもよい。また、軒樋６０は、案内面６３が形成されていないものであってもよい。さらに、軒樋６０は、Ｘ方向の幅Ｌ２が、Ｘ方向の幅Ｌ１よりも長いものであってもよい。加えて、第１集水部６２と第１筒部材６６、第２集水部６４と第２筒部材６８が、一体成形されたものであってもよい。
【００７１】
軒樋８０は、第２筒部材６８が無く、貫通孔８２Ｃ、８６Ｃ、８８Ｃ、６４Ｃを通って縦樋１８に雨水を流すものであってもよい。また、軒樋８０は、案内面６３が形成されていないものであってもよい。さらに、軒樋８０は、下側の集水部のＸ方向の幅が、上側の集水部のＸ方向の幅よりも長いものであってもよい。
【００７２】
第１集水部６２と第２集水部６４、第１集水部８２と第２集水部８４について、側壁の上端の位置と縦壁の上端の位置とは同じでもよい。また、側壁の上端の位置が縦壁の上端の位置よりも低くなっていてもよい。さらに、側壁が第１集水部の底壁を兼ねていてもよい。
【００７３】
湾曲壁６２Ｃ、８６Ｂ、８８Ｂ、６４Ｂは、水平面ＭのＸ方向に対して交差する方向に傾斜した傾斜壁であってもよい。
【００７４】
案内面６３は、第２集水部によって軒下への雨垂れが抑制される場合は、湾曲面に限らず、水平面ＭのＸ方向に対して傾斜した傾斜面であってもよい。また、案内面６３の曲率半径Ｒ２は、湾曲壁６２Ｃの曲率半径Ｒ１に関係無く独立して設定してよい。底壁６２Ｂの水平面Ｍに対する角度θは、自由に設定してよい。角度θ＝０〔°〕であってもよい。
【００７５】
第１筒部材６６には、ごみ等を除去しつつ雨水を通過させるドレンが取り付けられていてもよい。筒部６６Ａ、６８Ａの形状は、円形状に限らず、多角形状であってもよい。また、筒部６６Ａの下端が、筒部６８Ａ内に位置し、あるいは、底壁６４Ａよりも上側に位置していてもよい。
【符号の説明】
【００７６】
１０  建物
２０  軒先
２４  外壁材（外壁の一例）
６０  軒樋
６２  第１集水部
６２Ａ  縦壁
６２Ｂ  底壁（第１集水部の底部の一例）
６２Ｃ  湾曲壁（側壁の一例）
６２Ｈ  外側面
６３  案内面
６４  第２集水部
６４Ａ  底壁（第２集水部の底部の一例）
６６  第１筒部材（第１筒部の一例）
６８  第２筒部材（第２筒部の一例）
８０  軒樋
８２  第１集水部
８２Ａ  縦壁
８４  第２集水部
ｄ２  隙間
【図１】
0006612540.tif 000002
【図２】
0006612540.tif 000003
【図３】
0006612540.tif 000004
【図４】
0006612540.tif 000005
【図５】
0006612540.tif 000006
【図６】
0006612540.tif 000007
【図７】
0006612540.tif 000008
【図８】
0006612540.tif 000009